(57)【要約】【課題】巻付き接触面積を小さくして、巻き取られた剥離フィルムを巻芯から容易に抜き取ることを可能にするとともに、巻芯の装着および取外しも容易な剥離フィルム等巻取り装置を提供することを目的とする。【解決手段】シート本体の表裏から剥離された剥離フィルム３等を複数本の巻芯２７Ａ、２７Ｂ、２７Ｂからなる巻取りドラム２３Ａに巻き取る剥離フィルム等巻取り装置において、前記巻芯が、直径上に対向して配設される短い寸法断面の一対の短芯２７Ｂ、２７Ｂと、これら短芯２７Ｂ、２７Ｂを結ぶ面に直交して略中心部に配設される長い寸法断面の長芯２７Ａとから構成されたことを特徴とするもので、各芯２７Ａ、２７Ｂ、２７Ｂの断面における短辺部が剥離フィルム３等の巻付き面となって、巻付き接触面積を小さくでき、剥離フィルム３等の巻取りドラム２３Ａからの抜取りが容易となる。しかも、従来のもののような平面状の巻芯に対して多角形状の巻芯が形成されるので、円滑な剥離フィルム３等の巻取りが可能となって、シート材の搬送も円滑になされる。【選択図】　図１
2004067268.tif 000002
【特許請求の範囲】
【請求項１】
シート本体の表裏から剥離された剥離フィルム等を複数本の巻芯からなる巻取りドラムに巻き取る剥離フィルム等巻取り装置において、前記巻芯が、直径上に対向して配設される短い寸法断面の一対の短芯と、これら短芯を結ぶ面に直交して略中心部に配設される長い寸法断面の長芯とから構成されたことを特徴とする剥離フィルム等巻取り装置。
【請求項２】
前記各巻芯の両端部が、巻取りドラムの回転軸に固定された巻芯保持板に刻設された巻芯組入れ溝に挿入固定するように構成されたことを特徴とする請求項１に記載の剥離フィルム等巻取り装置。
【発明の詳細な説明】
【０００１】
【発明の属する技術分野】
本発明は、シート本体の表裏から剥離された剥離フィルム等を複数本の巻芯からなる巻取りドラムに巻き取る剥離フィルム等巻取り装置に関する。好適には、ＦＲＰ等の成形に用いられるＳＭＣ（シートモールディングコンパウンド）の秤量を伴うシート材の搬送、裁断装置における剥離フィルムの巻取りドラムに適用されるが、フィルム状の薄板の巻取り一般にも適用可能である。
【０００２】
【従来の技術】
ユニットバス等のＦＲＰ製品を製造するには、未加硫シート状のＳＭＣを所定の長さに裁断した上で金型に積層・装填し、加硫を伴うプレス成形によってなされる。通常、ＳＭＣシート材は、シート本体を構成するフェノール樹脂やメラミン樹脂あるいは不飽和ポリエステル等の熱硬化性の成形材料とガラス繊維の混在した未加硫でべとつくＳＭＣ材料と、該ＳＭＣ材料のシート本体を成形に供するまでの運搬時や保存時にシート本体への塵埃の付着、水分の浸透あるいは熱劣化等を防止するために、シート本体の表裏に貼着されるポリフィルム（ポリプロピレンやポリエチレンからなるシート状物）等の保護のための剥離フィルムとから構成される。一方、ＳＭＣ等のシート材は、成形のための金型への装填の際には、所定の一定の長さに裁断されたものを、複数枚を積層して重量調整をする必要があった、その際、ＳＭＣ等のシート材の強度の確保のために、シートの方向性を考慮して交互積層が要求される。
【０００３】
前記ＳＭＣ等材料のシート本体を保護するために貼着されるポリフィルム等の剥離フィルムは一般にガス透過率が大きく、シート本体のＳＭＣ材料中に含まれるスチレン成分が移行してしまう現象が生じた。該移行したスチレンにより剥離フィルムが容易に伸びる性質に変質する一方、スチレンが飛散した場合には剥離フィルムが収縮してしまう性質があった。その結果、ＳＭＣシート材を成形にするに際して剥離フィルムを剥離する場合に、該剥離フィルムのガイドおよび巻取りの段階にて、スチレンが飛散してガイドローラが汚損したり、巻き取られた剥離フィルムの巻芯が巻取りドラムに締め付けられて容易に抜き取ることができなくなる虞れがあった。この傾向は、剥離フィルムが巻き取られる巻取りドラムとして、図３に示したような従来の形式の巻芯の配列の場合に顕著であった。
【０００４】
【発明が解決しようとする課題】
つまり、従来の巻取りドラムは、図３に示すように、巻取りドラム１２３の回転軸に固定された巻芯保持板１２８に、直径上に対向配設された一対の巻芯１２７Ａ、１２７Ｂが固定されて構成されており、これら直径上に対向配設された一対の巻芯１２７Ａ、１２７Ｂは略平面を形成するため、これらの巻芯１２７Ａ、１２７Ｂに巻き取られる剥離フィルム３等は、各巻芯１２７Ａ、１２７Ｂの３つの面に巻き付いてしまい、巻付き接触面積が大きくなった。このため、所定量の剥離フィルム３等の巻取りが完了して、巻き取られた剥離フィルム３等を抜き取る際に、剥離フィルム３等を巻芯１２７Ａ、１２７Ｂから抜き取ることがきわめて困難であった。この傾向は、シート本体がＳＭＣ材料であり、ＳＭＣ材料中に含まれるスチレン成分が剥離フィルム移行して容易に伸びる性質に変質する一方、スチレンが飛散して剥離フィルムが収縮してしまう場合に顕著であった。
【０００５】
そこで本発明は、前記従来の剥離フィルム等巻取り装置の諸課題を解決して、巻付き接触面積を小さくして、巻き取られた剥離フィルムを巻芯から容易に抜き取ることを可能にするとともに、巻芯の装着および取外しも容易な剥離フィルム等巻取り装置を提供することを目的とする。
【０００６】
【課題を解決するための手段】
このため本発明は、シート本体の表裏から剥離された剥離フィルム等を複数本の巻芯からなる巻取りドラムに巻き取る剥離フィルム等巻取り装置において、前記巻芯が、直径上に対向して配設される短い寸法断面の一対の短芯と、これら短芯を結ぶ面に直交して略中心部に配設される長い寸法断面の長芯とから構成されたことを特徴とする。また本発明は、前記各巻芯の両端部が、巻取りドラムの回転軸に固定された巻芯保持板に刻設された巻芯組入れ溝に挿入固定するように構成されたことを特徴とするもので、これらを課題解決のための手段とするものである。
【０００７】
【実施の形態】
以下、本発明の剥離フィルム等巻取り装置の実施の形態を図面に基づいて詳細に説明する。図１および図２は本発明の剥離フィルム等巻取り装置の１つの実施の形態を示すもので、図１は剥離フィルム等巻取り装置の正面および断面図、図２は本発明の剥離フィルム等巻取り装置を採用したシート材裁断装置の全体側面図である。本発明の基本的な構成は、図１に示すように、シート本体の表裏から剥離された剥離フィルム３等を複数本の巻芯からなる巻取りドラムに巻き取る剥離フィルム等巻取り装置において、前記巻芯が、直径上に対向して配設される短い寸法断面の一対の短芯２７Ｂ、２７Ｂと、これら短芯２７Ｂ、２７Ｂを結ぶ面に直交して略中心部に配設される長い寸法断面の長芯２７Ａとから構成されたことを特徴とする。
【０００８】
以下に詳述する。本発明の剥離フィルム等巻取り装置を採用したシート材裁断装置を、その全体側面図である図２によって説明する。シート材裁断装置は、シート本体２の表裏に剥離フィルム３、４が貼着されたシート材１をシート材格納ボックス１１から取り出すシート材取出し部１０と、前記シート本体２の表裏から各剥離フィルム３、４を剥離してガイドローラ２２Ａ、２２Ｂにガイドされつつ上下一対の巻取りドラム２３Ａ、２３Ｂに巻き取るフィルム剥離部２０と、フィルム３、４が剥離されたシート本体２を所定の長さに裁断して秤量するシート裁断・秤量部３０とからなる。
【０００９】
装置右側のシート材取出し部１０では、折り畳まれて格納されたシート材１が、表裏に剥離フィルム３、４が貼着された状態のままシート材格納ボックス１１から略鉛直に取り出される。シート材格納ボックス１１から取り出されたシート材１は、ガイドローラ等により略水平方向に転向されて、シート本体２の表裏の剥離フィルム３、４を剥離すべくフィルム剥離部２０に搬送される。フィルム剥離部２０は、剥離部台枠２１内に設置されたエアーモータ２４と、該エアーモータ２４により駆動チェーン２５を介して駆動される一対の巻取りドラム２３Ａ、２３Ｂと、シート本体２の表裏の剥離フィルム３、４を剥離しつつガイドする上下一対のフィルムガイドローラ２２Ａ、２２Ｂとから構成される。
【００１０】
前記シート本体２の表裏から剥離される剥離フィルム３、４がドラム２３Ａ、２３Ｂに巻き取られることによってシート材１の搬送駆動力が得られる。前記エアーモータ２４により駆動される一対の巻取りドラム２３Ａ、２３Ｂは、これらに懸回された同期チェーン２６により同期回転する。エアーモータ２４は、床面に設置された足踏みスイッチ５の踏動により、適宜の圧力源からのエアーの供給を受けて駆動され、足踏みの開放で停止する。フィルム剥離部２０にて表裏の剥離フィルム３、４が剥離され、これらの剥離フィルムが上下一対の巻取りドラム２３Ａ、２３Ｂに巻き取られたシート本体２は、所定の一定の長さに裁断されて交互積層され、製品の成形時に、金型等に装填するのに必要な成形単位となる所定の重量が秤量されるシート裁断・秤量部３０に搬送される。なお、フィルム剥離部２０における符号６は巻取りドラム２３Ａにて巻き取られた剥離フィルムを巻芯から取り外したものを受ける上部巻取りフィルム受台を示し、符号７は巻取りドラム２３Ｂにて巻き取られた剥離フィルムを巻芯から取り外したものを受ける下部巻取りフィルム受台を示す。
【００１１】
シート裁断・秤量部３０は、秤量部台枠３１上に秤量器３２を搭載した秤量部と、剥離フィルム３、４が剥離されたシート本体２を所定の長さに裁断するためのカッター等からなる裁断部２９（フィルム剥離部２０の最後に位置する）と、秤量器３２上におけるシート本体２の先端位置に設置された裁断寸法位置決めバー３３とから構成される。図２に示すように、裁断寸法位置決めバー３３は、前記足踏みスイッチ５の踏動により圧力源からエアーモータ２４へのエアーの供給に連動して伸張する図示省略の作動シリンダによって支軸３４を軸心として倒伏され、エアーの供給の遮断により後退する作動シリンダによって起立される。
【００１２】
したがって、足踏みスイッチ５の踏動によりシート本体２の搬送が開始されると同時に、裁断寸法位置決めバー３３が秤量器３２上に倒伏してシート本体２の進路を断ち、シート本体２を所定の一定の長さに裁断すべく先端の位置決めがなされる。シート本体２の先端が裁断寸法位置決めバー３３に当接すると、後端が裁断部２９にてカッター等により裁断される。カッター等による裁断は、シート本体２の裁断寸法位置決めバー３３への当接の検出と同時になされてもよいが、シート本体２の先端の裁断寸法位置決めバー３３への当接の検出によって、先ずエアーの供給を停止させ、シート本体２の搬送を停止させておいて裁断を行った後（タイマー回路等により）に裁断寸法位置決めバー３３を起立させるように構成してもよい。または、やや熟練を要するものの、足踏みスイッチ５の踏動の開放による、シート本体２の搬送の停止と裁断寸法位置決めバー３３の起立および裁断時期との調整をスイッチ動作により行うようにしてもよい。
【００１３】
前記フィルム剥離部２０において、シート本体２の表裏から剥離フィルム３、４を剥離しつつガイドするガイドローラ２２の幅を、剥離フィルム３、４の幅より小さく構成したシート本体２よりさらに幅を小さく構成するとよい。このような構成によって、剥離フィルム３、４の幅端部にテンションが掛かることが防止されて、スチレンやシート本体２の成分が剥離してガイドローラ２２を汚損させたり、剥離した成分が剥離フィルム３、４とともにフィルム巻取りドラム２３に巻き付いて巻芯が抜けにくくなることがない。また、剥離フィルム３、４の幅端部がシート本体２側にめくれた不良部が存在したとしても、ガイドローラ２２がこれを潰して剥離フィルム３、４の剥離を妨げる事態を発生させるようなことも防止される。
【００１４】
本発明の最も特徴的な構成は、図１に示すように、シート本体の表裏から剥離された剥離フィルム３等を複数本の巻芯２７Ａ、２７Ｂ、２７Ｂからなる巻取りドラム２３に巻き取る剥離フィルム等巻取り装置において、前記巻芯が、直径上に対向して配設される短い寸法断面の一対の短芯２７Ｂ、２７Ｂと、これら短芯２７Ｂ、２７Ｂを結ぶ面に直交して略中心部に配設される長い寸法断面の長芯２７Ａとから構成されたことである。前記各巻芯２７Ａ、２７Ｂ、２７Ｂの両端部は、巻取りドラム２３Ａの回転軸に固定された巻芯保持板２８、２８に刻設された巻芯組入れ溝２８Ａ、２８Ｂ、２８Ｂに挿入固定される。
【００１５】
図１の下側の巻芯保持板部および巻芯部の各断面図で理解されるように、各巻芯２７Ａ、２７Ｂ、２７Ｂは比較的長尺の棒状部材の両端部が、巻芯保持板２８、２８に刻設された巻芯組入れ溝２８Ａ、２８Ｂ、２８Ｂに挿入固定される。これらの固定は、前記巻芯２７Ａ、２７Ｂ、２７Ｂの一端部を手指にて把持したまま、これら巻芯の他端部を巻芯保持板２８の板状部に突き当てた上で、他端部を前記巻芯組入れ溝２８Ａ、２８Ｂ、２８Ｂに落とし込むことにより、容易になされる。これらの巻芯２７Ａ、２７Ｂ、２７Ｂにより巻き取られる剥離フィルム３等の前記巻芯２７Ａ、２７Ｂ、２７Ｂへの巻付き接触面積を小さくするために、短芯２７Ｂ、２７Ｂを直径に沿って寝かせて配設するとともに、これらの間に配設される長芯２７Ａを起立させて配設される。このような配設により、各芯２７Ａ、２７Ｂの断面における短辺部が剥離フィルム３等の巻付き面となって、巻付き接触面積が小さくなり、剥離フィルム３等の巻取りドラム２３からの抜取りが容易となる。しかも、従来のもののような平面状の巻芯に対して多角形状の巻芯が形成されるので、円滑な剥離フィルム等の巻取りが可能となって、シート材の搬送も円滑になされる。
【００１６】
以上、本発明の実施の形態について詳述したが、本発明の趣旨の範囲内で、シート本体および剥離フィルムの形状、材質（ＳＭＣシートの場合のガラス繊維と熱硬化性の成形材料とガラス繊維の混在形態の他、適宜の材質の未加硫シート本体等に適用可能である）、シート材のシート材格納ボックス内での格納形態（好適には水平多段状のジグザグ状に折り畳まれる）、ガイドローラおよび巻取りドラムの形状、形式（巻取りドラムにおける複数の巻芯を構成する長芯および短芯の断面形状およびそれらの配置関連構成、芯組入れ溝の形状を含む巻芯保持板の形状および該保持板への巻芯の挿入固定形態等）および剥離フィルムの始端部の巻取りドラムへの係止形態（手指による係止部への係止あるいは接着等の手段にて適宜係止してもよい）、シート材の搬送形態（巻取りドラムはエアー圧を駆動源とするエアーモータにより駆動されるものを好適とするが、電動モータ、油圧モータ等により駆動されるものも採用可能である）、エアーモータの形状、形式および回転制御形態（供給エアーの圧力値制御あるいは流量制御）ならびにそれらの間の同期回転形態（同期チェーンの懸回の他、電子制御による同期制御であってもよい）、スイッチ手段の形状、形式および配設位置（足踏みスイッチを好適とするが、手動スイッチでもよい）、秤量器の形状、形式、裁断寸法位置決めバーの形状、形式および作動形態（エアーモータへのエアーの一部を受給した作動シリンダによる他、電気的な駆動手段により起伏させてもよい）、裁断部におけるカッター等の形式および裁断形態（シート本体幅と同幅のカッターにより一挙に裁断してもよいし、円板型カッターの幅方向移動により裁断してもよい）、ガイドローラのシート材に対する幅の割合等については適宜採用できるものである。
【００１７】
【発明の効果】
以上詳細に述べたように、本発明によれば、シート本体の表裏から剥離された剥離フィルム等を複数本の巻芯からなる巻取りドラムに巻き取る剥離フィルム等巻取り装置において、前記巻芯が、直径上に対向して配設される短い寸法断面の一対の短芯と、これら短芯を結ぶ面に直交して略中心部に配設される長い寸法断面の長芯とから構成されたことにより、各芯の断面における短辺部が剥離フィルム等の巻付き面となって、巻付き接触面積を小さくでき、剥離フィルム等の巻取りドラムからの抜取りが容易となる。しかも、従来のもののような平面状の巻芯に対して多角形状の巻芯が形成されるので、円滑な剥離フィルム等の巻取りが可能となって、シート材の搬送も円滑になされる。
【００１８】
また、前記各巻芯の両端部が、巻取りドラムの回転軸に固定された巻芯保持板に刻設された巻芯組入れ溝に挿入固定するように構成された場合は、各巻芯の一端部を手指にて把持したまま、これら巻芯の他端部を巻芯保持板の板状部に突き当てた上で、他端部を前記巻芯組入れ溝に落とし込むことにより、作業者単独にても巻芯を正確に位置決めしつつ巻芯保持板に挿入固定して、容易に巻取りドラムを組み付けることができる。
かくして、巻付き接触面積を小さくして、巻き取られた剥離フィルムを巻芯から容易に抜き取ることを可能にするとともに、巻芯の装着および取外しも容易な剥離フィルム等巻取り装置が提供される。
【図面の簡単な説明】
【図１】本発明の剥離フィルム等巻取り装置の１つの実施の形態を示すもので、剥離フィルム等巻取り装置の正面および断面図である。
【図２】同、本発明の剥離フィルム等巻取り装置を採用したシート材裁断装置の全体側面図である。
【図３】従来の剥離フィルム等巻取り装置の正面および断面図である。
【符号の説明】
１　　シート材
２　　シート本体
３　　剥離フィルム
４　　剥離フィルム
５　　足踏みスイッチ
６　　上部巻取りフィルム受台
７　　下部巻取りフィルム受台
１０　　シート材取出し部
１１　　シート材格納ボックス
２０　　フィルム剥離部
２１　　剥離部台枠
２２　　フィルムガイドローラ
２２Ａ　上フィルムガイドローラ
２２Ｂ　下フィルムガイドローラ
２３　　フィルム巻取りドラム
２３Ａ　上フィルム巻取りドラム
２３Ｂ　下フィルム巻取りドラム
２４　　エアーモータ
２５　　駆動チェーン
２６　　同期チェーン
２７　　巻芯
２７Ａ　長芯
２７Ｂ　短芯
２８　　巻芯保持板
２８Ａ　長芯組入れ溝
２８Ｂ　短芯組入れ溝
２９　　裁断部
３０　　シート裁断・秤量部
３１　　秤量部台枠
３２　　秤量器
３３　　裁断寸法位置決めバー
３４　　支軸
３５　　作動シリンダ
【図１】
2004067268.tif 000003
【図２】
2004067268.tif 000004
【図３】
2004067268.tif 000005